【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
シートクッションの下面を覆うように張られるカバー部材と、
前記シートクッションを支持するために前記シートクッションの下部に取り付けられた脚部材と、を有し、
前記脚部材は、前記シートクッションの下面との間に隙間を設けた状態で延出している延出部を備え、
前記カバー部材は、
前記シートクッションの下面中の第一領域を覆う第一カバー部分と、
前記シートクッションの下面において前記第一領域と隣り合う第二領域を覆うと共に、
前記隙間を潜って前記第一カバー部分に接続される第二カバー部分と、を備え、
前記第二カバー部分のうち、前記隙間を潜る部分には、前記第一カバー部分に設けられた被係合部と係合可能な係合部が設けられており、
該係合部は、複数の係合部片に分断されていることを特徴とする乗物用シート。
【請求項２】
前記脚部材の前記延出部は、シート幅方向に向けて延びていることを特徴とする請求項１に記載の乗物用シート。
【請求項３】
前記係合部の左右両端は、それぞれ、前記脚部材の前記延出部よりもシート幅方向外側に配置されていることを特徴とする請求項１又は２に記載の乗物用シート。
【請求項４】
前記係合部は、前記複数の係合部片が直線状に並んだ状態で前記被係合部と係合し、
前記複数の係合部片の各々は、互いに延出量が同一となるように形成されていることを特徴とする請求項１から３のいずれか一項に記載の乗物用シート。
【請求項５】
前記係合部は、２つの係合部片から構成されており、
前記２つの係合部片の隙間は、前記脚部材の前記延出部の左右長さの中心とは、左右方向にずれて配置されていることを特徴とする請求項１から４のいずれか一項に記載の乗物用シート。
【請求項６】
前記被係合部は、所定方向に沿って延出しており、
前記係合部は、該係合部の両端部に位置する第一係合部片及び第二係合部片を有し、
前記第一係合部片において前記第二係合部片から離れている方の端から前記第二係合部片において前記第一係合部片から離れている方の端までの距離よりも、前記被係合部の延出量が長いことを特徴とする請求項１から５のいずれか一項に記載の乗物用シート。
【請求項７】
前記被係合部は、所定方向に沿って延出しており、前記被係合部の延出方向における一端から他端まで連続していることを特徴とする請求項１から６のいずれか一項に記載の乗物用シート。
【請求項８】
前記係合部は、該係合部の両端部に位置する第一係合部片及び第二係合部片を有し、
前記第一係合部片において前記第二係合部片から離れている方の端から前記第二係合部片において前記第一係合部片から離れている方の端までの距離は、前記延出部の延出量よりも長いことを特徴とする請求項１から７のいずれか一項に記載の乗物用シート。
【請求項９】
前記第二カバー部分よりも前記シートクッションの下面に近い位置にて前記第二カバー部分に重ね合わされ、前記第二カバー部分と共に前記第二領域を覆うと共に前記隙間を潜る第三カバー部分を備えることを特徴とする請求項２又は３に記載の乗物用シート。
【請求項１０】
前記脚部材は、前記脚部材を前記シートクッションに取り付けるために前記延出部の脇位置に配置された取り付け部を有し、
前記第二カバー部分及び前記第三カバー部分の各々には、前記取り付け部を通すための切り欠きが設けられており、
前記第二カバー部分に設けられた前記切り欠きの外縁のうち、前記延出部の延出方向において前記取り付け部と隣り合う部分は、前記第三カバー部分に設けられた前記切り欠きの外縁のうち、前記延出部の前記延出方向において前記取り付け部と隣り合う部分とは、前記延出部の前記延出方向において異なる位置にあることを特徴とする請求項９に記載の乗物用シート。
【請求項１１】
前記カバー部材は、前記シートクッションの下面において前記第一領域及び前記第二領域の脇位置にある第三領域を覆う第四カバー部分を有し、
前記第二カバー部分の端部には、前記第二カバー部分を前記第四カバー部分と接続するために第二係合部が設けられており、
前記第三カバー部分の端部には、前記第三カバー部分を前記第四カバー部分と接続するために第三係合部が設けられており、
前記第二カバー部分及び前記第三カバー部分の各々が前記第四カバー部分に接続された状態では、前記第二係合部が、前記第三係合部と直線状に並ぶ位置にあり、前記第三カバー部分の端部のうち、前記第三係合部が設けられた部分から外れた部分に重ね合わされていることを特徴とする請求項９又は１０に記載の乗物用シート。
【手続補正２】
【補正対象書類名】明細書
【補正対象項目名】０００７
【補正方法】変更
【補正の内容】
【０００７】
前記課題は、本発明の乗物用シートによれば、シートクッションの下面を覆うように張られるカバー部材と、前記シートクッションを支持するために前記シートクッションの下部に取り付けられた脚部材と、を有し、前記脚部材は、前記シートクッションの下面との間に隙間を設けた状態で延出している延出部を備え、前記カバー部材は、前記シートクッションの下面中の第一領域を覆う第一カバー部分と、前記シートクッションの下面において前記第一領域と隣り合う第二領域を覆うと共に、前記隙間を潜って前記第一カバー部分に接続される第二カバー部分と、を備え、前記第二カバー部分のうち、前記隙間を潜る部分には、前記第一カバー部分に設けられた被係合部と係合可能な係合部が設けられており、該係合部は、複数の係合部片に分断されていることにより解決される。
【手続補正３】
【補正対象書類名】明細書
【補正対象項目名】０００８
【補正方法】変更
【補正の内容】
【０００８】
上記のように構成された本発明の乗物用シートでは、カバー部材のうちの第一カバー部分が、シートクッションの下面のうちの第一領域を覆い、第二領域を覆う第二カバー部分が脚部材とシートクッションの下面の隙間を潜って第一カバー部分に接続される。これにより、シートクッションの下面を効果的に覆ってシート内部を見え難くすると共に、シート内部への異物の入り込みを抑制することが可能となる。
また、第二カバー部分のうち、第一カバー部材の被係合部と係合する係合部が設けられている部分は、上記の隙間を潜る。そして、係合部は、複数の係合部片に分断されている。このような構成であれば、係合部片の分断箇所（すなわち、係合部の切れ目）にて係合部を曲げられるので、第二カバー部分において係合部が設けられている部分が、より容易に上記の隙間を潜るようになる。この結果、より容易にカバー部材を取り付けることが可能となる。
【手続補正４】
【補正対象書類名】明細書
【補正対象項目名】０００９
【補正方法】変更
【補正の内容】
【０００９】
また、上記の構成において、前記脚部材の前記延出部は、シート幅方向に向けて延びているとよい。
また、上記の構成において、前記係合部の左右両端は、それぞれ、前記脚部材の前記延出部よりもシート幅方向外側に配置されているとよい。
また、上記の構成において、前記係合部は、前記複数の係合部片が直線状に並んだ状態で前記被係合部と係合し、前記複数の係合部片の各々は、互いに延出量が同一となるように形成されているとよい。
上記の構成では、複数の係合部片を並べることで係合部を構築する際、同一長さの係合部片を用いることが可能である。これにより、係合部片を並べる際の順序（配置位置）を誤ることもなく、係合部片を容易に取り付けることが可能となる。
また、上記の構成において、前記係合部は、２つの係合部片から構成されており、前記２つの係合部片の隙間は、前記脚部材の前記延出部の左右長さの中心とは、左右方向にずれて配置されているとよい。
【手続補正５】
【補正対象書類名】明細書
【補正対象項目名】００１２
【補正方法】変更
【補正の内容】
【００１２】
また、上記の構成において、前記係合部は、該係合部の両端部に位置する第一係合部片及び第二係合部片を有し、前記第一係合部片において前記第二係合部片から離れている方の端から前記第二係合部片において前記第一係合部片から離れている方の端までの距離は、前記延出部の延出量よりも長いとよい。
上記の構成では、複数の係合部片が連なって構成された係合部の一端から他端までの長さが、脚部分の延出部の延出量よりも長くなっている。このような構成であれば、係合部が被係合部と係合する範囲を、脚部分の延出部の延出量よりも長く（広く）確保することが可能となる。この結果、係合部がより良好に被係合部と係合し、第二カバー部分をより適切に第一カバー部分に接続させることが可能となる。
また、上記の構成において、前記第二カバー部分よりも前記シートクッションの下面に近い位置にて前記第二カバー部分に重ね合わされ、前記第二カバー部分と共に前記第二領域を覆うと共に前記隙間を潜る第三カバー部分を備えるとよい。